【手続補正書】
【提出日】令和3年3月4日(2021.3.4)
【手続補正１】
【補正対象書類名】特許請求の範囲
【補正対象項目名】全文
【補正方法】変更
【補正の内容】
【特許請求の範囲】
【請求項１】
フォトプレスチモグラム（ＰＰＧ）信号を生成することが可能なデバイスの出力から被験者の呼吸数を決定するためのシステムであって、前記システムは、
第一の選択周波数で前記ＰＰＧ信号をサンプリングするための一つ以上のハードウェアベースのプロセッサと、
前記サンプリングされたＰＰＧ信号をフィルタ処理するための第一の高域通過フィルタと、
前記第一の高域通過フィルタからの出力を受信し、第二の選択周波数から前記出力をフィルタ処理するための、前記第一の高域通過フィルタと直列に結合された第二の高域通過フィルタと、
前記第二の高域通過フィルタの出力を受信し、前記ＰＰＧ信号における前記呼吸数の影響によって引き起こされる呼吸時間間隔であって補間されたゼロ交差の間の差として決定される前記呼吸時間間隔を決定するために、前記ＰＰＧ信号の少なくとも選択された部分のポジティブ（立上り）エッジゼロ交差およびネガティブ（立下り）エッジゼロ交差を補間するためのゼロ交差フィルタと、
前記呼吸数の概算を導出するために、前記ポジティブエッジゼロ交差および前記ネガティブエッジゼロ交差に対する前記呼吸時間間隔の平均を決定するための中央値フィルタと、
を含む、システム。
【請求項２】
前記一つ以上のハードウェアベースのプロセッサは、前記ＰＰＧ信号の成分を、ＤＣ変調波形（ＤＣ信号）、振幅変調波形（ｐＭ信号）および周波数変調波形（ｐＴ信号）に分離するようにさらに構成される、請求項１に記載のシステム。
【請求項３】
前記第一の選択周波数は、前記ｐＭ信号および前記ｐＴ信号に対するパルス時間周波数である、請求項２に記載のシステム。
【請求項４】
前記第二の選択周波数は、前記ｐＭ信号および前記ｐＴ信号に対する前記パルス時間周波数を２倍するように補間される、請求項３に記載のシステム。
【請求項５】
前記第一の選択周波数は、前記ＤＣ信号に対する実時間周波数である、請求項２に記載のシステム。
【請求項６】
前記ＤＣ信号に対する前記第二の選択周波数は、一度に一パルスにわたって平均化された前記第一の高域通過フィルタの前記出力であり、２回の心拍数パルスのサンプリングパルス時間周波数にわたって、一度に１／２パルス分シフトされる、請求項２に記載のシステム。
【請求項７】
前記一つ以上のハードウェアベースのプロセッサは、前記ＰＰＧ信号から前記被験者の脈拍数を決定するようにさらに構成される、請求項１に記載のシステム。
【請求項８】
あるパルスから次のパルスへ所定の割合を超えて変化するスルーレートを有する信号の影響を低減、または信号を排除するためにスルーレートフィルタをさらに含む、請求項１に記載のシステム。
【請求項９】
前記所定の割合は、±２５％である、請求項８に記載のシステム。
【請求項１０】
前記一つ以上のハードウェアベースのプロセッサは、前記被験者の心拍数に基づいて選択された周波数で前記ＰＰＧ信号をサンプリングするためのものである、請求項１に記載のシステム。
【請求項１１】
前記第一の高域通過フィルタおよび前記第二の高域通過フィルタのうちの少なくとも一つは、デジタル高域通過フィルタを含む、請求項１に記載のシステム。
【請求項１２】
前記第一の高域通過フィルタおよび前記第二の高域通過フィルタのうちの少なくとも一つは、アナログデジタル高域通過フィルタを含む、請求項１に記載のシステム。
【請求項１３】
前記中央値フィルタは、個々に平均化する前に、前記ポジティブエッジゼロ交差および前記ネガティブエッジゼロ交差の双方に対して、呼吸数を計算するのに基づいて、前記呼吸数の前記概算を導出するようにさらに構成される、請求項１に記載のシステム。
【請求項１４】
フォトプレスチモグラム（ＰＰＧ）信号を生成することが可能なデバイスの出力から被験者の呼吸数を決定するための方法であって、
第一の選択周波数で前記ＰＰＧ信号をサンプリングすることと、
第一の高域通過フィルタで前記ＰＰＧ信号をフィルタ処理することと、
前記第一の高域通過フィルタからの出力を受信し、第二の高域通過フィルタで第二の選択周波数で前記出力をフィルタ処理することと、
前記ＰＰＧ信号の少なくとも選択された部分の前記第二の高域通過フィルタからの出力を受信することと、
前記ＰＰＧ信号における前記呼吸数の影響によって引き起こされる呼吸時間間隔であって補間されたゼロ交差の間の差として決定される前記呼吸時間間隔を決定するために、前記ＰＰＧ信号の前記選択された部分のポジティブ（立上り）エッジゼロ交差およびネガティブ（立下り）エッジゼロ交差を補間することと、
前記呼吸数の概算を導出するために、前記ポジティブエッジゼロ交差および前記ネガティブエッジゼロ交差に対する前記呼吸時間間隔の平均を決定することと、
を含む、方法。
【請求項１５】
前記ＰＰＧ信号の成分を、ＤＣ変調波形（ＤＣ信号）、振幅変調波形（ｐＭ信号）および周波数変調波形（ｐＴ信号）に分離することをさらに含む、請求項１４に記載の方法。
【請求項１６】
前記第一の選択周波数は、前記ｐＭ信号および前記ｐＴ信号に対するパルス時間周波数である、請求項１５に記載の方法。
【請求項１７】
前記第二の選択周波数は、前記ｐＭ信号および前記ｐＴ信号に対する前記パルス時間周波数を２倍するように補間される、請求項１６に記載の方法。
【請求項１８】
前記第一の選択周波数は、前記ＤＣ信号に対する実時間周波数である、請求項１５に記載の方法。
【請求項１９】
前記ＤＣ信号に対する前記第二の選択周波数は、一度に一パルスにわたって平均化された前記第一の高域通過フィルタの前記出力であり、２回の心拍数パルスのサンプリングパルス時間周波数にわたって、一度に１／２パルス分シフトされる、請求項１５に記載の方法。
【請求項２０】
前記ＰＰＧ信号から前記被験者の脈拍数を決定することをさらに含む、請求項１４に記載の方法。
【請求項２１】
あるパルスから次のパルスへ所定の割合を超えて変化するスルーレートを有する信号の影響を低減し、または信号を排除するためにスルーレートフィルタで前記ＰＰＧ信号をフィルタ処理することをさらに含む、請求項１４に記載の方法。
【請求項２２】
前記所定の割合は、±２５％である、請求項２１に記載の方法。
【請求項２３】
前記ＰＰＧ信号を前記サンプリングすることは、前記被験者の心拍数に基づいて選択された周波数に基づく、請求項１４に記載の方法。
【請求項２４】
前記呼吸数の前記概算は、個々に平均化する前に、前記ポジティブエッジゼロ交差および前記ネガティブエッジゼロ交差の双方に対して、呼吸数を計算するのに基づく、請求項１４に記載の方法。
【請求項２５】
フォトプレスチモグラム（ＰＰＧ）信号を生成することが可能なデバイスの出力から被験者の呼吸数を決定することであって、前記決定は、
第一の選択周波数で前記ＰＰＧ信号をサンプリングすることと、
第一の高域通過フィルタで前記ＰＰＧ信号をフィルタ処理することと、
前記第一の高域通過フィルタからの出力を受信し、第二の高域通過フィルタで第二の選択周波数で前記出力をフィルタ処理することと、
前記ＰＰＧ信号の少なくとも選択された部分の前記第二の高域通過フィルタからの出力を受信することと、
前記ＰＰＧ信号における前記呼吸数の影響によって引き起こされる呼吸時間間隔であって補間されたゼロ交差の間の差として決定される前記呼吸時間間隔を決定するために、前記ＰＰＧ信号の前記選択された部分のポジティブ（立上り）エッジゼロ交差およびネガティブ（立下り）エッジゼロ交差を補間することと、
前記呼吸数の概算を導出するために、前記ポジティブエッジゼロ交差および前記ネガティブエッジゼロ交差に対する前記呼吸時間間隔の平均を決定することと、
を含む、決定すること、
を含む動作を、マシンの一つ以上のハードウェアベースのプロセッサによって実行されたときに、前記マシンに実施させる命令を含み、非一時的信号を有する有形コンピュータ可読媒体。
【請求項２６】
前記方法が、前記ＰＰＧ信号から前記被験者の脈拍数を決定することをさらに含む、請求項２５に記載の有形コンピュータ可読媒体。
【請求項２７】
前記方法は、あるパルスから次のパルスへ所定の割合を超えて変化するスルーレートを有する信号の影響を低減、または信号を排除するためにスルーレートフィルタで前記ＰＰＧ信号をフィルタ処理することをさらに含む、請求項２５に記載の有形コンピュータ可読媒体。
【請求項２８】
前記所定の割合は、±２５％である、請求項２７に記載の有形コンピュータ可読媒体。
【請求項２９】
前記ＰＰＧ信号を前記サンプリングすることは、前記被験者の心拍数に基づいて選択された周波数に基づく、請求項２５に記載の有形コンピュータ可読媒体。